(57)【特許請求の範囲】
【請求項１】
左右一端側のヒンジを介して開閉自在に装着され且つ施錠手段（８）により閉状態で施錠可能な前面パネル（３）を備えた筐体（１）を有し、装飾部材（４３）（４４）を前記前面パネル（３）に対して前側から装着し、前記装飾部材（４３）（４４）側の係合爪（４８）を前記前面パネル（３）の内側の被係合部（５４）に係脱自在に係合させて固定した遊技機において、前記施錠手段（８）は、係合受け部（９）に係脱自在に係合する係合部材（１０）と、前端側に設けられた鍵穴部（１１）への鍵操作に応じて前記係合部材（１０）を解除方向に移動させることにより施錠状態を解除可能な錠本体部（１２）と、前記係合部材（１０）及び前記錠本体部（１２）を支持するフレーム部材（１３）とを備え、前記錠本体部（１２）の前端側を前記装飾部材（４４）の嵌合孔（４４ａ）を介して前記前面パネル（３）の前側に露出させた状態で前記フレーム部材（１３）が前記前面パネル（３）に着脱自在に固定され、前記前面パネル（３）の内側に、前記係合爪（４８）の係合解除方向への変形を規制する解除規制部（６３ａ）〜（６３ｃ），（７５ａ）〜（７５ｃ）を備えた解除規制部材（４５）（４６）を装着し、前記嵌合孔（４４ａ）が設けられた前記装飾部材（４４）に対応する前記解除規制部材（４６）は、前記前面パネル（３）に略平行に配置された後壁部（７１）と、前記施錠手段（８）に固定するための固定部（７３）と、前記後壁部（７１）と前記固定部（７３）とを連結する連結部（７４）と、前記解除規制部（７５ａ）〜（７５ｃ）とを一体に備えており、前記後壁部（７１）には前記錠本体部（１２）を挿通させる挿通孔（７６）が形成されていることを特徴とする遊技機。
【発明の詳細な説明】
【技術分野】
【０００１】
本発明は、装飾部材を筐体に対して前側から装着し、その装飾部材側の係合爪を筐体内側の被係合部に係脱自在に係合させて固定した遊技機に関するものである。
【背景技術】
【０００２】
スロットマシン、パチンコ機等の遊技機では、その筐体の前側にレンズ部材等の各種装飾部材が装着されている。これら装飾部材は、組み立て作業やメンテナンス作業の容易性等の観点から、筐体に対して前側から装着し、その装飾部材側の係合爪を筐体内側の被係合部に係脱自在に係合させて固定するように構成されたものが多い（例えば特許文献１参照）。
【特許文献１】特開２００４−２１６００５号公報
【発明の開示】
【発明が解決しようとする課題】
【０００３】
上記のような従来の遊技機では、装飾部材は係合爪の係合により筐体側に固定されているにすぎないため、筐体の前側から装飾部材を比較的簡単に取り外すことができるという欠点があった。このような状態を放置すると、悪意ある者により装飾部材が取り外され、露出した開口部を介して遊技機内部に改変が施される等の不正行為が行われる危険性がある。
【０００４】
本発明は、このような従来の問題点に鑑み、装飾部材側の係合爪を筐体内側の被係合部に係脱自在に係合させるという取付構造はそのままに、筐体の前側からの装飾部材の取り外しを防止できる遊技機を提供することを目的とする。
【課題を解決するための手段】
【０００５】
本発明は、左右一端側のヒンジを介して開閉自在に装着され且つ施錠手段８により閉状態で施錠可能な前面パネル３を備えた筐体１を有し、装飾部材４３，４４を前記前面パネル３に対して前側から装着し、前記装飾部材４３，４４側の係合爪４８を前記前面パネル３の内側の被係合部５４に係脱自在に係合させて固定した遊技機において、前記施錠手段８は、係合受け部９に係脱自在に係合する係合部材１０と、前端側に設けられた鍵穴部１１への鍵操作に応じて前記係合部材１０を解除方向に移動させることにより施錠状態を解除可能な錠本体部１２と、前記係合部材１０及び前記錠本体部１２を支持するフレーム部材１３とを備え、前記錠本体部１２の前端側を前記装飾部材４４の嵌合孔４４ａを介して前記前面パネル３の前側に露出させた状態で前記フレーム部材１３が前記前面パネル３に着脱自在に固定され、前記前面パネル３の内側に、前記係合爪４８の係合解除方向への変形を規制する解除規制部６３ａ〜６３ｃ，７５ａ〜７５ｃを備えた解除規制部材４５，４６を装着し、前記嵌合孔４４ａが設けられた前記装飾部材４４に対応する前記解除規制部材４６は、前記前面パネル３に略平行に配置された後壁部７１と、前記施錠手段８に固定するための固定部７３と、前記後壁部７１と前記固定部７３とを連結する連結部７４と、前記解除規制部７５ａ〜７５ｃとを一体に備えており、前記後壁部７１には前記錠本体部１２を挿通させる挿通孔７６が形成されているものである。
【発明の効果】
【０００６】
本発明によれば、解除規制部材４５，４６を装着したままでは係合爪４８の係合を解除できないために装飾部材４３，４４を取り外すことは不可能であり、またその解除規制部材４５，４６は筐体１内に装着されているためにこれも筐体１の前側から取り外すことは不可能である。従って、装飾部材４３，４４側の係合爪４８を筐体内側の被係合部５４に係脱自在に係合させるという取付構造はそのままに、筐体１の前側からの装飾部材４３，４４の取り外しを確実に防止できる。
【発明を実施するための最良の形態】
【０００７】
以下、本発明の実施形態を図面に基づいて詳述する。図１〜図１２は、本発明をスロットマシンとして具現化した第１の実施形態を例示している。図１及び図２において、１は遊技機筐体で、前側が開放した矩形箱型の本体ケース２と、この本体ケース２の前側に配置された矩形状の前面パネル３とを備えている。
【０００８】
本体ケース２内には、図柄表示リール５ａ〜５ｃを左右方向に備えた表示リールユニット、メダル払い出し装置、電源ユニット、各種制御基板等が適宜箇所に配置されている。
【０００９】
前面パネル３は、左右一端側、例えば左端側に配置されたヒンジを介して本体ケース２に対して開閉自在に装着されており、その開閉端側、例えば右端側に配置された施錠手段８により本体ケース２に対して閉状態で施錠可能となっている。
【００１０】
施錠手段８は、本体ケース２側の係合受け部９に係脱自在に係合する係合部材１０と、前端側に設けられた鍵穴部１１への鍵操作に応じて係合部材１０を解除方向に移動させることにより施錠状態を解除可能な錠本体部１２と、係合部材１０及び錠本体部１２を支持するフレーム部材１３とを備えている。
【００１１】
錠本体部１２は、その前端側の鍵穴部１１が前面パネル３の前側に露出するように、前面パネル３の例えば右側縁部に沿って配置されたフレーム部材１３に対して略前向き突出状に設けられている。なお、フレーム部材１３は、例えば前面パネル３側の取付ボス１４（図１２）に対してネジ止め等により着脱自在に固定されている。
【００１２】
前面パネル３の前面上部側には、本体ケース２内の図柄表示リール５ａ〜５ｃに対応する３つの表示窓２１ａ〜２１ｃが左右方向に配置された表示パネル部２２が設けられている。
【００１３】
また、表示パネル部２２の下側には、前向き膨出状に形成された操作パネル部２３が横長状に配置されており、その操作パネル部２３の上面側に、遊技媒体としてのメダルを投入可能なメダル投入口２４、このメダル投入口２４内に詰まったメダルを返却させるための返却ボタン２５の他、メダル投入口２４へのメダル投入に代えてクレジットからメダルをベットするための１投入ボタン２６及びマックス投入ボタン２７、獲得したメダルをクレジットするか払い出すかの設定を切り換えるためのクレジット精算ボタン２８等が設けられ、また操作パネル部２３の前面側に、図柄表示リール５ａ〜５ｃの回転を開始させるためのスタートレバー２９、回転中の図柄表示リール５ａ〜５ｃを夫々個別に停止させるためのストップボタン３０ａ〜３０ｃ等が設けられている。
【００１４】
前面パネル３の下端部前側には、メダル払い出し装置から払い出されたメダルを前側に排出するための排出口３１が設けられ、その前側に、排出口３１から排出されたメダルを受けるメダル受け皿３２が横長状に配置されている。
【００１５】
また、前面パネル３の前側の所定位置、例えば操作パネル部２３の左右両端部近傍には装飾部材装着部４１，４２が設けられており、これら装飾部材装着部４１，４２の前側にレンズ部材（装飾部材）４３，４４が、後側に解除規制部材４５，４６が夫々装着されている。
【００１６】
なお、操作パネル部２３は、装飾部材装着部４１，４２が設けられた左右両端側近傍が、前後方向の側壁２３ａ側と左右方向の前壁２３ｂとの間を滑らかに接続するＲ状に形成されている（図１１，図１２参照）。
【００１７】
レンズ部材４３，４４は合成樹脂製で、図３，図４等に示すように、本体部４７と、この本体部４７の外縁部から後ろ向きに突設された係合爪４８とを一体に備えている。
【００１８】
本体部４７は、操作パネル部２３の前面側の形状に沿って滑らかな曲面に形成されており、正面から見て各角部がＲ状に形成された略三角形状に形成されると共に、１つの角部４９が左右方向内向きとなり（以下、内向き角部４９という）、その内向き角部４９に対向する辺５０が上下方向となる（以下、縦辺５０という）ように前面パネル３側に装着されるようになっている。
【００１９】
係合爪４８は、本体部４７の外縁に沿って複数個、例えば縦辺５０上に２個（以下、係合爪４８ａ，４８ｂという）、内向き角部４９上に１個（以下、係合爪４８ｃという）の計３個設けられており、爪部５１は夫々その外面側に配置されている。なお、施錠手段８が設けられた側、例えば右側のレンズ部材４４には、図４等に示すように、本体部４７の略中央に鍵穴部１１に対応する嵌合孔４４ａが後ろ向きの筒状に形成されている。
【００２０】
装飾部材装着部４１，４２は、図５，図６等に示すように、レンズ部材４３，４４の本体部４７に対応する形状に形成された装着孔５２と、この装着孔５２の内縁側に沿って内向きに突設された鍔部５３と、レンズ部材４３，４４側の係合爪４８に対応して複数、例えば３個設けられた被係合部５４とを備えている。
【００２１】
鍔部５３は、レンズ部材４３，４４を前側から装着したときに、そのレンズ部材４３，４４の本体部４７の外縁４７ａ（図３，図４参照）に後側から当接して後方への移動を規制するもので、レンズ部材４３，４４の外縁４７ａの厚さ分だけ前面パネル３の表面より後方に奥まった位置に設けられている。
【００２２】
被係合部５４は、レンズ部材４３，４４側の係合爪４８を係合させるためのもので、鍔部５３に対して切欠状に形成されており、レンズ部材４３，４４を前側から装着してその外縁４７ａが鍔部５３に当接した状態で係合爪４８が係合するようになっている。
【００２３】
解除規制部材４５，４６は、被係合部５４に係合した係合爪４８に対して、その係合解除方向への変形を規制するためのものである。
【００２４】
前面パネル３のヒンジ側、即ち左側の解除規制部材４５は、例えば合成樹脂製で、図７，図８等に示すように、前面パネル３に略平行に配置された略平板状の後壁部６１と、この後壁部６１の前側に突設された周壁部６２と、レンズ部材４３側の係合爪４８に対応する解除規制片（解除規制部）６３ａ〜６３ｃとを一体に備えている。
【００２５】
後壁部６１は、装飾部材装着部４１の全体を後側から略覆う大きさ及び形状に形成されており、その左右方向一端側、例えば左端側縁部６１ａが操作パネル部２３の側壁２３ａに沿うように装飾部材装着部４１の後方に配置され、例えば前面パネル３の背面側から後方に突設された取付基部６４（図１１）に対してネジ止め等により着脱自在に固定されている。
【００２６】
また、後壁部６１の左端側縁部６１ａの近傍には、レンズ部材４３の係合爪４８ａ，４８ｂに対応する解除規制片６３ａ，６３ｂが設けられている。解除規制片６３ａ，６３ｂは、係合爪４８ａ，４８ｂの内面側、即ち爪部５１とは反対側の面に沿うように後壁部６１の前側に略水平に突設されている。
【００２７】
周壁部６２は、装飾部材装着部４１の上側に沿って配置される上壁部６２ａと、装飾部材装着部４１の下側に沿って配置される下壁部６２ｂと、装飾部材装着部４１の左右方向内側に沿って配置される側壁部６２ｃとで構成されており、その前縁側は前面パネル３の背面側に沿う形状に形成されている。
【００２８】
即ち、解除規制部材４５の後壁部６１と周壁部６２とが、レンズ部材４３の後側を略覆う後カバー手段６５を構成している。
【００２９】
また、周壁部６２の側壁部６２ｃには、レンズ部材４３の係合爪４８ｃに対応する解除規制片６３ｃが設けられている。解除規制片６３ｃは、係合爪４８ｃの内面側、即ち爪部５１とは反対側の面に沿うように側壁部６２ｃの右側に略水平に突設されている。更に、解除規制片６３ｃに対して側壁部６２ｃの反対面側には、後壁部６１側に跨る補強リブ６６が１又は複数設けられている。
【００３０】
また、後壁部６１の前側で且つ周壁部６２の内側には、前面側にＬＥＤ（発光手段）６７を搭載した発光基板６８が着脱自在に装着されている。
【００３１】
前面パネル３の施錠手段８側、即ち右側の解除規制部材４６は、例えば板金製で、図９，図１０等に示すように、前面パネル３に略平行に配置された後壁部７１と、この後壁部７１の前側に突設された周壁部７２と、例えば施錠手段８に固定するための固定部７３と、後壁部７１と固定部７３とを連結する連結部７４と、レンズ部材４４側の係合爪４８に対応する解除規制片（解除規制部）７５ａ〜７５ｃとを一体に備えている。
【００３２】
後壁部７１は、例えば正面視略矩形状で、装飾部材装着部４２の後側に配置されており、その略中央に、レンズ部材４４側の嵌合孔４４ａに対応する挿通孔７６が形成されている。
【００３３】
周壁部７２は、後壁部７１の上縁側、下縁側、及び左右方向内縁側に沿って夫々前向きに突設された上壁部７２ａ，下壁部７２ｂ，側壁部７２ｃにより構成されている。
【００３４】
また、周壁部７２の側壁部７２ｃには、レンズ部材４４の係合爪４８ｃに対応する解除規制片７５ｃが設けられている。解除規制片７５ｃは、係合爪４８ｃの内面側、即ち爪部５１とは反対側の面に沿うように側壁部７２ｃから略水平に突設されている。
【００３５】
固定部７３は、施錠手段８側のフレーム部材１３の前面側に沿うように配置されており、フレーム部材１３に対してネジ止め等により着脱自在に固定されるようになっている。
【００３６】
連結部７４は、後壁部７１側の左右方向外縁側と固定部７３とを前後方向に連結するもので、施錠手段８側の錠本体部１２の側方に略鉛直に配置されており、例えばその上縁側及び下縁側には、レンズ部材４４の係合爪４８ａ，４８ｂに対応する解除規制片７５ａ，７５ｂが設けられている。解除規制片７５ａ，７５ｂは、係合爪４８ａ，４８ｂの内面側、即ち爪部５１とは反対側の面に沿うように連結部７４から略水平に突設されている。
【００３７】
以上説明したようなスロットマシンにおいて、レンズ部材４３，４４及び解除規制部材４５，４６を遊技機筐体１に装着する手順について、図１１，図１２を参照しつつ説明する。
【００３８】
レンズ部材４３及び解除規制部材４５を遊技機筐体１に装着する際には、まずレンズ部材４３を装飾部材装着部４１に対して前側から装着し、係合爪４８ａ〜４８ｃを夫々被係合部５４に係合させる（図１１（ａ）→（ｂ））。
【００３９】
続いて、発光基板６８が装着された解除規制部材４５を、前面パネル３の裏側から解除規制部材４５の後側に装着し、前面パネル３側の取付基部６４に対してネジ止め等により固定する（図１１（ｂ）→（ｃ））。
【００４０】
このとき、解除規制部材４５側の解除規制片６３ａ〜６３ｃが、夫々レンズ部材４３側の係合爪４８ａ〜４８ｃの内面側、即ち爪部５１とは反対側の面に略当接して、各係合爪４８ａ〜４８ｃの係合解除方向への変形を規制するため、解除規制部材４５を取り外すことなくレンズ部材４３を取り外すことは不可能となる。
【００４１】
また、レンズ部材４４及び解除規制部材４６を遊技機筐体１に装着する際には、まずレンズ部材４４を装飾部材装着部４２に対して前側から装着し、係合爪４８ａ〜４８ｃを夫々被係合部５４に係合させる（図１２（ａ）→（ｂ））。
【００４２】
続いて、解除規制部材４６を、施錠手段８と共に前面パネル３の裏側に装着する。即ち、まず施錠手段８側の錠本体部１２を解除規制部材４６の挿通孔７６に後側から挿通させた状態で、解除規制部材４６の固定部７３を施錠手段８側のフレーム部材１３にネジ止め等により固定する。そして、施錠手段８側の錠本体部１２をレンズ部材４４の嵌合孔４４ａに後側から嵌合させ、鍵穴部１１を前面パネル３の前側に露出させるように解除規制部材４６及び施錠手段８を前面パネル３の裏側に装着し、施錠手段８を前面パネル３側にネジ止め等により固定する（図１２（ｂ）→（ｃ））。
【００４３】
このとき、解除規制部材４６側の解除規制片７５ａ〜７５ｃが、夫々レンズ部材４４側の係合爪４８ａ〜４８ｃの内面側、即ち爪部５１とは反対側の面に略当接して、各係合爪４８ａ〜４８ｃの係合解除方向への変形を規制するため、解除規制部材４６を取り外すことなくレンズ部材４４を取り外すことは不可能となる。
【００４４】
以上説明したように、本実施形態のスロットマシンは、遊技機筐体１の内側に、レンズ部材４３，４４側の係合爪４８の係合解除方向への変形を規制する解除規制部６３ａ〜６３ｃ，７５ａ〜７５ｃを有する解除規制部材４５，４６を装着しているため、解除規制部材４５，４６を装着したままでは係合爪４８の係合を解除できないためにレンズ部材４３，４４を取り外すことは不可能であり、またその解除規制部材４５，４６は遊技機筐体１内に装着されているためにこれも遊技機筐体１の前側から取り外すことは不可能である。従って、レンズ部材４３，４４側の係合爪４８を筐体内側の被係合部５４に係脱自在に係合させるという取付構造はそのままに、遊技機筐体１の前側からのレンズ部材４３，４４の取り外しを確実に防止できる。
【００４５】
また、１つのレンズ部材４３，４４に設けられた全ての係合爪４８ａ〜４８ｃに対応する解除規制部６３ａ〜６３ｃ，７５ａ〜７５ｃを１つの解除規制部材４５，４６上に一体に設け、その解除規制部材４５，４６を遊技機筐体１側に直接的に又は施錠手段８を介して間接的に固定しているため、例えば各係合爪４８ａ〜４８ｃ毎に解除規制部材を夫々設ける場合と比較して解除規制部材４５，４６の装着が容易であると共に、例えば解除規制部材４５，４６をレンズ部材４３，４４側に固定する場合と比べて係合爪４８の係合解除方向への変形をより確実に規制できる。
【００４６】
解除規制部材４５に、ＬＥＤ６７を設けた発光基板６８を装着しているため、解除規制部材４５を基板固定部材としても利用できる。
【００４７】
解除規制部材４５は、レンズ部材４３の後側を略覆う後カバー手段６５を備えているため、遊技機筐体１内の他の発光手段からの光がレンズ部材４３側へ漏れるのを防止できる。
【００４８】
以上、本発明の実施形態について詳述したが、本発明はこの実施形態に限定されるものではなく、本発明の趣旨を逸脱しない範囲で種々の変更が可能である。例えば、１つの装飾部材に対して複数の解除規制部材を配置し、それら複数の解除規制部材に、１つの装飾部材４３，４４に設けられた係合爪４８ａ〜４８ｃに対応する解除規制部６３ａ〜６３ｃ，７５ａ〜７５ｃを振り分けて配置してもよい。
【００４９】
例えば１つの装飾部材に３個以上の係合爪４８が設けられている場合、必ずしもそれら全てについて解除規制部材を設ける必要はなく、装飾部材の取り外し防止に最小限必要な係合爪４８に対してのみ解除規制部材を設けてもよい。
【００５０】
発光基板６８は解除規制部材４５以外の例えば前面パネル３側に固定してもよい。また、レンズ部材４３に対する発光基板６８を省略し、レンズ部材４３を単なる装飾部材としてもよい。
【００５１】
また、装飾部材は、遊技機筐体１に対して前側から装着し、係合爪４８の係合により固定するものであればよく、レンズ部材に限らずあらゆる部材、例えば液晶表示枠、スピーカカバー等について同様に適用可能である。
【００５２】
なお、実施形態では、本発明をスロットマシンに適用した例を示したが、パチンコ機等の他の遊技機においても同様に実施可能であることは言うまでもない。
【図面の簡単な説明】
【００５３】
【図１】本発明の一実施形態を示すスロットマシンの正面図である。
【図２】本発明の一実施形態を示すスロットマシンの側面図である。
【図３】本発明の一実施形態を示す左側のレンズ部材の正面図及び側面図である。
【図４】本発明の一実施形態を示す右側のレンズ部材の正面図及び側面図である。
【図５】本発明の一実施形態を示す左側の装飾部材装着部近傍の正面断面図である。
【図６】本発明の一実施形態を示す右側の装飾部材装着部近傍の正面断面図である。
【図７】本発明の一実施形態を示す左側の解除規制部材の正面図である。
【図８】本発明の一実施形態を示す左側の解除規制部材の斜視図である。
【図９】本発明の一実施形態を示す右側の解除規制部材の正面図である。
【図１０】本発明の一実施形態を示す右側の解除規制部材の斜視図である。
【図１１】本発明の一実施形態を示す左側のレンズ部材及び解除規制部材の装着手順の説明図である。
【図１２】本発明の一実施形態を示す右側のレンズ部材及び解除規制部材の装着手順の説明図である。
【符号の説明】
【００５４】
１  遊技機筐体
４３  レンズ部材（装飾部材）
４４  レンズ部材（装飾部材）
４５  解除規制部材
４６  解除規制部材
４８  係合爪
４８ａ〜４８ｃ  係合爪
６３ａ〜６３ｃ  解除規制片（解除規制部）
７５ａ〜７５ｃ  解除規制片（解除規制部）
６５  後カバー手段
６７  発光手段
６８  発光基板（基板）
【図１】
0004721873.tif 000002
【図２】
0004721873.tif 000003
【図３】
0004721873.tif 000004
【図４】
0004721873.tif 000005
【図５】
0004721873.tif 000006
【図６】
0004721873.tif 000007
【図７】
0004721873.tif 000008
【図８】
0004721873.tif 000009
【図９】
0004721873.tif 000010
【図１０】
0004721873.tif 000011
【図１１】
0004721873.tif 000012
【図１２】
0004721873.tif 000013